(57)【特許請求の範囲】
【請求項１】
タイヤ周方向に延びる複数本の主溝と、該主溝間および／または主溝とトレッド端間でタイヤ幅方向に延びる複数本の横溝とで区画形成された複数個のブロックをトレッド部の少なくとも一部に有する空気入りタイヤであって、
前記横溝が、タイヤ周方向に凸形状となるような１個の屈曲点をもってタイヤ幅方向に延び、
前記ブロックが、前記横溝の凸形状に対応した形状の周方向突出部を有し、
前記周方向突出部の頂点は、前記ブロックのタイヤ幅方向中心線からオフセットして配置され、
前記ブロックの中央領域に、タイヤ幅方向に延びて少なくとも一端が前記主溝またはトレッド端に開口し、且つ、底部に拡大部を有する少なくとも一本の底部拡大サイプを形成し、
前記底部拡大サイプは、前記ブロックのタイヤ幅方向中心線より前記周方向突出部の頂点側に位置する主溝またはトレッド端に一端が開口し、他端がブロック内で終端し、
前記ブロックの、前記少なくとも一本の底部拡大サイプのタイヤ周方向両外側に、深さ方向に直線状に延びる二次元サイプおよび深さ方向に屈曲して延びる三次元サイプの何れか一方を形成し、
前記横溝の一部に、前記主溝よりも深さが浅い底上げ部を形成し、
前記底上げ部は、前記横溝の、前記ブロックのタイヤ幅方向中心線より前記周方向突出部の頂点側に位置する主溝またはトレッド端への開口部から、前記横溝のタイヤ幅方向中央部を超えて設けられており、且つ、前記横溝の、前記ブロックのタイヤ幅方向中心線より前記周方向突出部の頂点とは反対側に位置する主溝またはトレッド端への開口部側には設けられてないことを特徴とする、空気入りタイヤ。
【請求項２】
前記ブロックのタイヤ幅方向寸法がタイヤ周方向寸法よりも大きいことを特徴とする、請求項１に記載の空気入りタイヤ。
【請求項３】
前記ブロックに形成した全てのサイプを、タイヤ回転軸線を含みブロック表面に直交する平面に投影したときのタイヤ幅方向寸法が、当該ブロックを前記平面に投影したときのタイヤ幅方向寸法と等しいことを特徴とする、請求項１または２に記載の空気入りタイヤ。
【発明の詳細な説明】
【技術分野】
【０００１】
本発明は、空気入りタイヤに関し、特に、氷上性能に優れる空気入りタイヤに関するものである。
【背景技術】
【０００２】
一般に、氷路に好適な空気入りタイヤとして、氷上性能に優れるタイヤが求められている。
【０００３】
そこで、従来の空気入りタイヤでは、多数のサイプを形成したブロックをトレッド部に配設し、ブロックのエッヂやサイプのエッヂによる氷路の引っ掻き効果を高めたり、氷路面上の水膜をサイプで除去してタイヤを氷路面に密着させ、グリップ力を確保したりすることで、タイヤの氷上性能を向上させている。
【０００４】
具体的には、サイプのエッヂによる氷路の引っ掻き効果を高めることによりタイヤの氷上性能を向上させた空気入りタイヤとして、例えば、トレッド部に配設したブロックにタイヤ幅方向へ延びるサイプを多数形成してエッヂ成分を増加させることにより、サイプのエッヂによる氷路の引っ掻き効果を高めて氷上性能を向上させた空気入りタイヤが提案されている（例えば、特許文献１参照）。
【先行技術文献】
【特許文献】
【０００５】
【特許文献１】特開２０１０−８９７４３号公報
【発明の概要】
【発明が解決しようとする課題】
【０００６】
しかし、トレッド部に形成したブロックにタイヤ幅方向へ延びるサイプを多数形成した上記従来の空気入りタイヤでは、氷路面上の水膜を十分に除去してタイヤを氷路面に密着させることができず、優れたグリップ力を確保することができない場合があった。そのため、従来の空気入りタイヤには、氷上性能を更に改善する余地があった。
【０００７】
そこで、本発明は、氷上性能を十分に向上させた空気入りタイヤを提供することを目的とする。
【課題を解決するための手段】
【０００８】
本発明者らは、氷路面上に発生する水膜の除去効果（除水効果）を向上させて空気入りタイヤの氷上性能を向上させることを目的として、鋭意研究を行った。そして、タイヤ周方向溝およびタイヤ幅方向溝で区画形成された一つのブロックに着目した際に、ブロックの踏み込み端側では水膜が殆ど発生しておらず、また、ブロックの蹴り出し端側ではタイヤ周方向溝やタイヤ幅方向溝へ水が排出されて水膜が除去されるため、ブロックの踏み込み端側および蹴り出し端側ではタイヤ（ブロック）と氷路面とが密着し易いが、踏み込み端側と蹴り出し端側との間の中央領域では水膜が十分に除去され難く、タイヤ（ブロック）と氷路面とが密着し難いことを見出した。更に、本発明者らは、除水効果が高い、底部に拡大部を有するサイプ（所謂、フラスコサイプ）をブロックの中央領域のみに配設することにより、中央領域における除水効果を高めつつフラスコサイプをブロックの全面に配設した場合と比較してブロックの剛性の大幅な低下を抑制すると共に、所定形状のサイプをフラスコサイプのタイヤ周方向両側に配設してフラスコサイプの配設によるブロックのタイヤ周方向両端部の剛性の低下を抑制することにより、空気入りタイヤのドライ操縦安定性、ウェット操縦安定性および耐摩耗性などの他の性能を大幅に低下させることなく、氷上性能を十分に向上させ得ることを見出し、本発明を完成させた。
【０００９】
即ち、この発明は、上記課題を有利に解決することを目的とするものであり、本発明の空気入りタイヤは、タイヤ周方向に延びる複数本の主溝と、該主溝間および／または主溝とトレッド端間でタイヤ幅方向に延びる複数本の横溝とで区画形成された複数個のブロックをトレッド部の少なくとも一部に有する空気入りタイヤであって、前記横溝が、タイヤ周方向に凸形状となるような１個の屈曲点をもってタイヤ幅方向に延び、前記ブロックが、前記横溝の凸形状に対応した形状の周方向突出部を有し、前記周方向突出部の頂点は、前記ブロックのタイヤ幅方向中心線からオフセットして配置され、前記ブロックの中央領域に、タイヤ幅方向に延びて少なくとも一端が前記主溝またはトレッド端に開口し、且つ、底部に拡大部を有する少なくとも一本の底部拡大サイプを形成し、前記底部拡大サイプは、前記ブロックのタイヤ幅方向中心線より前記周方向突出部の頂点側に位置する主溝またはトレッド端に一端が開口し、他端がブロック内で終端し、前記ブロックの、前記少なくとも一本の底部拡大サイプのタイヤ周方向両外側に、深さ方向に直線状に延びる二次元サイプおよび深さ方向に屈曲して延びる三次元サイプの何れか一方を形成し、前記横溝の一部に、前記主溝よりも深さが浅い底上げ部を形成し、前記底上げ部は、前記横溝の、前記ブロックのタイヤ幅方向中心線より前記周方向突出部の頂点側に位置する主溝またはトレッド端への開口部から、前記横溝のタイヤ幅方向中央部を超えて設けられており、且つ、前記横溝の、前記ブロックのタイヤ幅方向中心線より前記周方向突出部の頂点とは反対側に位置する主溝またはトレッド端への開口部側には設けられてないことを特徴とする。このように、ブロックの中央領域に底部拡大サイプを形成すれば、ブロックの中央領域における除水効果を高めて氷上性能を十分に向上させることができる。また、底部拡大サイプをブロックの中央領域に形成すると共に底部拡大サイプのタイヤ周方向両外側に二次元サイプおよび三次元サイプの何れか一方を形成すれば、底部拡大サイプの配設によるブロックのタイヤ周方向両端部の剛性の低下を抑制して、ドライ操縦安定性、ウェット操縦安定性および耐摩耗性が大幅に低下するのを抑制することができる。更に、ブロックの剛性低下によるブロックの過度な倒れ込みを防止することができるので、ブロックのエッヂによる氷路の引っ掻き効果を得つつ十分な接地面積を確保して、氷上性能を向上させることができる。
なお、本明細書において、「ブロックの中央領域」とは、ブロックのタイヤ周方向の一端から他端に向かって、ブロックのタイヤ周方向長さの１／５の位置からブロックのタイヤ周方向長さの４／５の位置までの領域を指す。また、「少なくとも一本の底部拡大サイプのタイヤ周方向両外側」とは、ブロックの中央領域に底部拡大サイプが複数本形成されている場合には、複数の底部拡大サイプのうちタイヤ周方向最外側にそれぞれ位置する底部拡大サイプのタイヤ周方向外側を指す。
【００１０】
また、底部拡大サイプの他端をブロック内で終端させれば、底部拡大サイプの両端を主溝またはトレッド端に開口させた場合と比較して、ブロックの剛性低下によるブロックの過度な倒れ込みを防止することができるので、ブロックのエッヂによる氷路の引っ掻き効果を得つつ十分な接地面積を確保して、氷上性能を更に向上させることができる。
【００１１】
更に、タイヤ周方向に凸形状となるような屈曲点を一つ有する横溝を配設し、周方向突出部を有するブロックとすれば、ブロックの剛性低下によるブロックの過度な倒れ込みを防止することができるので、ブロックのエッヂによる氷路の引っ掻き効果を得つつ十分な接地面積を確保して、氷上性能を更に向上させることができる。
また、底上げ部を形成すれば、底部拡大サイプの形成によるブロックのタイヤ周方向両端部の剛性の低下を十分に抑制して、ドライ操縦安定性、ウェット操縦安定性および耐摩耗性が大幅に低下するのを抑制することができる。
【００１２】
更に、本発明の空気入りタイヤは、前記ブロックのタイヤ幅方向寸法がタイヤ周方向寸法よりも大きいことが好ましい。ブロックのタイヤ幅方向寸法をタイヤ周方向寸法よりも大きくすれば、ブロックのタイヤ周方向両端縁の長さやブロックに形成するサイプの長さを長くとることができるので、ブロックおよびサイプのエッヂによる氷路の引っ掻き効果を向上することができると共に、ブロックを適度に倒れ込ませてエッヂによる氷路の引っ掻き効果を更に向上することができるからである。
なお、本明細書において、「ブロックのタイヤ幅方向寸法」とは、ブロック中のタイヤ幅方向の長さが最も長い部分のタイヤ幅方向の寸法を指し、「ブロックのタイヤ周方向寸法」とは、ブロック中のタイヤ周方向の長さが最も長い部分のタイヤ周方向の寸法を指す。
【００１３】
また、本発明の空気入りタイヤは、前記ブロックに形成した全てのサイプを、タイヤ回転軸線を含みブロック表面に直交する平面に投影したときのタイヤ幅方向寸法が、当該ブロックを前記平面に投影したときのタイヤ幅方向寸法と等しいことが好ましい。タイヤ周方向から見て、ブロックのタイヤ幅方向全域にサイプが位置するようにすれば、エッヂ成分を十分に確保してサイプのエッヂによる氷路の引っ掻き効果を更に向上し、氷上性能を更に向上させることができるからである。
なお、本明細書において、「全てのサイプを、タイヤ回転軸線を含みブロック表面に直交する平面に投影したときのタイヤ幅方向寸法」とは、全てのサイプを同一平面に投影した際に得られる投影図のタイヤ幅方向の寸法を指す。
【発明の効果】
【００１５】
本発明によれば、氷上性能を十分に向上させた空気入りタイヤを提供することができる。
【図面の簡単な説明】
【００１６】
【図１】（ａ）は、本発明に従う代表的な空気入りタイヤのトレッド部の一部の展開図であり、（ｂ）は、本発明に従う他の空気入りタイヤのトレッド部の一部の展開図である。
【図２】図１（ｂ）に示す空気入りタイヤについて、制動力が負荷された際に１個のブロックに働く力を説明する説明図であり、（ａ）は、周方向突出部がブロックの踏み込み端側に位置する場合の説明図であり、（ｂ）は、周方向突出部がブロックの蹴り出し端側に位置する場合の説明図である。
【図３】（ａ）は、図１（ａ）に示すブロックのＩ−Ｉ線に沿う断面図であり、（ｂ）は、図１（ｂ）に示すブロックのＩＩ−ＩＩ線に沿う断面図である。
【図４】（ａ）は、本発明に従う空気入りタイヤのブロックの変形例を示す拡大図であり、（ｂ）は、図４（ａ）に示すブロックのＩＩＩ−ＩＩＩ線に沿う断面図であり、（ｃ）は、図４（ａ）に示すブロックのＩＶ−ＩＶ線に沿う断面図である。
【図５】本発明に従う別の空気入りタイヤのトレッド部の一部の展開図である。
【図６】（ａ）は、図５に示すブロックのＶ−Ｖ線に沿う断面図であり、（ｂ）は、図５に示すブロックのＶＩ−ＶＩ線に沿う断面図である。
【図７】（ａ）および（ｂ）は、ブロックの倒れ込みとタイヤの接地面積との関係を説明する説明図である。
【発明を実施するための形態】
【００１７】
以下、図面を参照して本発明の実施の形態を説明する。図１（ａ）は、本発明の空気入りタイヤの一例のトレッド部の一部の展開図である。図１（ａ）に示す空気入りタイヤは、両トレッド端Ｅの間に位置するトレッド踏面１Ａに、タイヤ周方向に沿って直線状に延びる複数本（図１（ａ）では３本）の主溝２Ａと、主溝２Ａ，２Ａの間および主溝２Ａとトレッド端Ｅとの間でタイヤ幅方向に沿って直線状に延びる複数本の横溝３Ａとを配設して、複数個のブロック４Ａを区画形成したものである。そして、この一例の空気入りタイヤには、トレッド踏面１Ａに、複数個のブロック４Ａからなる４列のブロック陸部列５Ａが配設されている。
【００１８】
各ブロック４Ａは、矩形形状をしている。また、各ブロック４Ａには、横溝３Ａと平行にタイヤ幅方向に延び、両端が主溝２Ａまたはトレッド端Ｅに開口した３本のサイプ４１Ａ，４２Ａが形成されている。
【００１９】
ここで、図１（ａ）のＩ−Ｉ線に沿う断面を図３（ａ）に示すように、ブロック４Ａに形成された３本のサイプは、サイプ延在方向および深さ方向の双方に直線状に延びる２本の二次元サイプ４１Ａと、サイプ延在方向および深さ方向の双方に直線状に延び、トレッド踏面におけるサイプの開口幅よりも幅の大きな拡大部４２Ａ2を底部に有する１本の底部拡大サイプ４２Ａとからなる。そして、ブロック４Ａでは、中央領域Ｃ（ブロックのタイヤ周方向長さＬの１／５の位置から４／５の位置までの領域）に底部拡大サイプ４２Ａが形成されており、底部拡大サイプ４２Ａのタイヤ周方向両外側に二次元サイプ４１Ａがそれぞれ一本ずつ形成されている。なお、二次元サイプの形成位置は、底部拡大サイプよりもタイヤ周方向外側であれば、特に限定されることはなく、例えば中央領域Ｃ内であっても良い。
【００２０】
また、ブロック４Ａでは、二次元サイプ４１Ａおよび底部拡大サイプ４２Ａがブロック４Ａのタイヤ幅方向全域に亘って形成されている。従って、ブロック４Ａ内に配設した全てのサイプ４１Ａ，４２Ａを、タイヤ回転軸線（図示せず）を含みブロック４Ａの表面に直交する同一平面に投影した際に得られる投影図のタイヤ幅方向の寸法は、ブロック４Ａを該平面に投影した際に得られる投影図のタイヤ幅方向の寸法Ｗと等しい。
【００２１】
そして、この一例の空気入りタイヤでは、ブロック４Ａの中央領域Ｃに底部拡大サイプ４２Ａを形成しているので、ブロック４Ａの中央領域Ｃが氷路面に接地した際には、氷路面上の水（水膜）が良好に除去される。即ち、氷路面上の水が、タイヤ周方向断面がフラスコ状の底部拡大サイプ４２Ａの直線部４２Ａ1および拡大部４２Ａ2を通って主溝２Ａまたはトレッド端Ｅへと良好に排出される。従って、この一例の空気入りタイヤでは、氷路面走行時における一つのブロック４Ａの挙動に着目すると、ブロック４Ａの踏み込み端側では、水膜が殆ど発生しないのでブロック４Ａと氷路面とが密着する。また、ブロック４Ａの蹴り出し端側では、主溝２Ａまたはトレッド端Ｅや、横溝３Ａへ水が排出されて水膜が除去されるのでブロック４Ａと氷路面とが密着する。更に、踏み込み端側と蹴り出し端側との間の中央領域Ｃでは、底部拡大サイプ４２Ａにより主溝２Ａまたはトレッド端Ｅへ水が排出されて水膜が良好に除去されるので、ブロック４Ａと氷路面とが密着する。そのため、この一例の空気入りタイヤでは、氷路面上の水膜を十分に除去してタイヤを氷路面に密着させることができ、優れたグリップ力を確保して氷上性能を向上させることができる。
【００２２】
また、この一例の空気入りタイヤでは、底部拡大サイプ４２Ａをブロック４Ａの中央領域Ｃのみに形成すると共に、ブロック４Ａの底部拡大サイプ４２Ａのタイヤ周方向両外側に二次元サイプ４１Ａを形成しているので、底部拡大サイプ４２Ａの形成によるブロック４Ａの剛性の低下、特にタイヤ周方向両端部の剛性（曲げ剛性）の低下を抑制することができる。即ち、底部拡大サイプ４２Ａをブロック４Ａの中央領域Ｃのみに形成することにより、上述したように水膜を効果的に除去しつつ、ブロック全体に底部拡大サイプを形成した場合と比較してブロックの剛性の低下を抑制することができる。また、二次元サイプ４１Ａにより区分されたブロック４Ａのタイヤ周方向両端部側の小ブロックが、ブロック４Ａの屈曲時に支えとなることにより、ブロック４Ａの中央領域Ｃに底部拡大サイプ４２Ａを形成したことに伴う剛性の低下を抑制することができる。従って、この一例の空気入りタイヤでは、ブロック４Ａの、特にタイヤ周方向両端部の剛性の低下を抑制することで、ドライ操縦安定性、ウェット操縦安定性および耐摩耗性が大幅に低下するのを抑制することができる。また、走行時にブロック４Ａを適度に倒れ込ませて、ブロックのエッヂによる氷路の引っ掻き効果を得つつ十分な接地面積を確保してタイヤの氷上性能を向上することができる。
なお、一般に、ブロックの剛性が高すぎる場合には、図７（ａ）に走行時のブロックの状態を模式的に示すように、ブロック７０が倒れこまずにエッヂによる氷路Ｇの引っ掻き効果を十分に得ることができない。一方、ブロックの剛性が低すぎる場合には、図７（ｂ）に走行時のブロックの状態を模式的に示すように、ブロック７０の蹴り出し端側が浮き上がってしまい接地面積を確保することができない。
【００２３】
更に、この一例の空気入りタイヤでは、二次元サイプ４１Ａおよび底部拡大サイプ４２Ａの双方をブロック４Ａのタイヤ幅方向全域に亘って形成しているので、エッヂ成分を十分に確保してサイプのエッヂによる氷路の引っ掻き効果を更に高め、氷上性能を更に向上させることができる。
【００２４】
ここで、上記一例の空気入りタイヤでは、底部拡大サイプを中央領域に配設したが、本発明の空気入りタイヤでは、ブロックのタイヤ周方向両端部の剛性の低下を更に抑制する観点からは、底部拡大サイプをブロックのタイヤ周方向長さＬの１／３の位置から２／３の位置までの領域に配設することが更に好ましい。中央領域の中でも、ブロックのタイヤ周方向長さＬの１／３の位置から２／３の位置までの領域に底部拡大サイプを配設すれば、ドライ操縦安定性、ウェット操縦安定性および耐摩耗性などの低下を更に抑制することができるからである。
【００２５】
また、上記一例の空気入りタイヤでは、サイプ延在方向および深さ方向の双方に直線状に延びる二次元サイプを底部拡大サイプのタイヤ周方向両側に配設したが、本発明の空気入りタイヤでは、ブロックのタイヤ周方向両端部の剛性の低下を更に抑制する観点からは、サイプ延在方向にはジグザグ状に屈曲し、深さ方向には直線状に延びる二次元サイプや、深さ方向にジグザグ状に屈曲して延びる三次元サイプを底部拡大サイプのタイヤ周方向両側に配設することが更に好ましい。ドライ操縦安定性、ウェット操縦安定性および耐摩耗性などの低下を更に抑制することができるからである。
【００２６】
更に、本発明の空気入りタイヤでは、二次元サイプや三次元サイプのトレッド踏面の開口幅は例えば０．４〜１．５ｍｍとすることが好ましく、底部拡大サイプのトレッド踏面の開口幅は例えば０．４〜１．５ｍｍとすることが好ましい。また、底部拡大サイプの拡大部の幅はトレッド踏面の開口幅の２〜４倍とすることが好ましい。
【００２７】
次に、本発明の空気入りタイヤの他の例について、図面を用いて説明する。ここに、図１（ｂ）は、本発明の空気入りタイヤの他の例のトレッド部の一部の展開図である。図１（ｂ）に示す空気入りタイヤは、両トレッド端Ｅの間に位置するトレッド踏面１Ｂに、タイヤ周方向に沿って直線状に延びる複数本（図１（ｂ）では３本）の主溝２Ｂと、主溝２Ｂ，２Ｂの間および主溝２Ｂとトレッド端Ｅとの間でタイヤ幅方向に延びる複数本の横溝３Ｂとを配設して、複数個のブロック４Ｂを区画形成したものである。そして、この他の例の空気入りタイヤには、トレッド踏面１Ｂに、複数個のブロック４Ｂからなる４列のブロック陸部列５Ｂが配設されている。
【００２８】
ここで、横溝３Ｂは、タイヤ周方向（図１（ｂ）では上方向）に凸形状となるような１個の屈曲点をもってタイヤ幅方向に延びており、この他の例の空気入りタイヤでは、全ての横溝３Ｂが同一方向に屈曲している。
【００２９】
各ブロック４Ｂは、該ブロック４Ｂを区画形成する横溝３Ｂの凸形状に対応した形状、好適には矢羽形状をしており、周方向突出部４３Ｂを有している。また、各ブロック４Ｂには、横溝３Ｂと平行にタイヤ幅方向に延びる３本のサイプ４１Ｂ，４２Ｂが形成されている。更に、各ブロック４Ｂのタイヤ幅方向寸法Ｗは、タイヤ周方向寸法Ｌよりも大きい。
【００３０】
また、図１（ｂ）のＩＩ−ＩＩ線に沿う断面を図３（ｂ）に示すように、ブロック４Ｂに形成された３本のサイプは、サイプ延在方向には直線状に延び、深さ方向にはジグザグ状に屈曲して延びる２本の三次元サイプ４１Ｂと、サイプ延在方向および深さ方向の双方に直線状に延び、トレッド踏面におけるサイプの開口幅よりも幅の大きな拡大部４２Ｂ2を底部に有する１本の底部拡大サイプ４２Ｂとからなる。そして、ブロック４Ｂでは、中央領域Ｃ（ブロックのタイヤ周方向長さＬの１／５の位置から４／５の位置までの領域）に底部拡大サイプ４２Ｂが形成されており、底部拡大サイプ４２Ｂのタイヤ周方向両外側に三次元サイプ４１Ｂがそれぞれ一本ずつ形成されている。なお、三次元サイプの形成位置は、底部拡大サイプよりもタイヤ周方向外側であれば、特に限定されることはなく、例えば中央領域Ｃ内であっても良い。
【００３１】
また、ブロック４Ｂでは、三次元サイプ４１Ｂおよび底部拡大サイプ４２Ｂがブロック４Ｂのタイヤ幅方向全域に亘って形成されている。従って、ブロック４Ｂ内に配設した全てのサイプ４１Ｂ，４２Ｂを、タイヤ回転軸線（図示せず）を含みブロック４Ｂの表面に直交する同一平面に投影した際に得られる投影図のタイヤ幅方向の寸法は、ブロック４Ｂを該平面に投影した際に得られる投影図のタイヤ幅方向の寸法Ｗと等しい。
【００３２】
そして、この他の例の空気入りタイヤでは、ブロック４Ｂの中央領域Ｃに底部拡大サイプ４２Ｂを形成しているので、先の一例の空気入りタイヤと同様にして、優れたグリップ力を確保して氷上性能を向上させることができる。
【００３３】
また、この他の例の空気入りタイヤでは、底部拡大サイプ４２Ｂをブロック４Ｂの中央領域Ｃのみに形成すると共に、ブロック４Ｂの底部拡大サイプ４２Ｂのタイヤ周方向両外側に三次元サイプ４１Ｂを形成しているので、先の一例の空気入りタイヤと同様にして、ドライ操縦安定性、ウェット操縦安定性および耐摩耗性が大幅に低下するのを抑制することができる。また、ブロックのエッヂによる氷路の引っ掻き効果を得つつ十分な接地面積を確保してタイヤの氷上性能を向上することができる。
【００３４】
更に、この他の例の空気入りタイヤでは、三次元サイプ４１Ｂおよび底部拡大サイプ４２Ｂの双方をブロック４Ｂのタイヤ幅方向全域に亘って形成しているので、先の一例の空気入りタイヤと同様にして、氷上性能を更に向上させることができる。
【００３５】
また、この他の例の空気入りタイヤでは、タイヤ制動時にブロック４Ｂの周方向突出部４３Ｂ側が踏み込み端側となる場合には、図２（ａ）にブロック４Ｂの拡大図を示すように、矢羽形状のブロック４Ｂの両幅端部に相当する羽部が中央部（頂点４６Ｂが位置する部分）に倒れこむ方向（図２（ａ）の矢印で示す方向）に力が働く。従って、ブロック４Ｂの特にタイヤ幅方向中央部が倒れ込み変形し難くなるので、タイヤの接地面積を確保することができる。また、ブロック４Ｂの羽部（タイヤ幅方向両端部側）が若干倒れ込み変形するので、ブロック４Ｂのエッヂによる氷路の引っ掻き効果を向上することができる。更に、ブロック４Ｂのタイヤ幅方向寸法Ｗがタイヤ周方向寸法Ｌよりも大きいので、タイヤ周方向寸法Ｌをタイヤ幅方向寸法Ｗよりも大きくした場合と比べ、ブロックのタイヤ周方向両端縁の長さや各サイプ４１Ｂ，４２Ｂの長さを長くとることができるのでブロックおよびサイプのエッヂによる氷路の引っ掻き効果を得ることができると共に、ブロック４Ｂが適度に倒れ込み変形してブロック４Ｂのエッヂによる氷路の引っ掻き効果を得ることができる。
【００３６】
更に、この他の例の空気入りタイヤでは、タイヤ制動時にブロック４Ｂの周方向突出部４３Ｂ側とは反対側が踏み込み端側となる場合には、図２（ｂ）にブロック４Ｂの拡大図を示すように、矢羽形状のブロック４Ｂが開く方向（図２（ｂ）に矢印で示す方向）に力が働く。従って、ブロック４Ｂの羽部（タイヤ幅方向両端部側）が若干倒れ込み変形して、ブロック４Ｂのエッヂによる氷路の引っ掻き効果を向上することができる。更に、ブロック４Ｂのタイヤ幅方向寸法Ｗがタイヤ周方向寸法Ｌよりも大きいので、タイヤ周方向寸法Ｌをタイヤ幅方向寸法Ｗよりも大きくした場合と比べ、ブロックのタイヤ周方向両端縁の長さや各サイプ４１Ｂ，４２Ｂの長さを長くとることができるのでブロックおよびサイプのエッヂによる氷路の引っ掻き効果を得ることができると共に、ブロック４Ｂが適度に倒れ込み変形してブロック４Ｂのエッヂによる氷路の引っ掻き効果を得ることができる。
【００３７】
従って、この他の例の空気入りタイヤによれば、ブロックのタイヤ幅方向中央部で接地面積を確保できると共に、ブロックの寸法規定およびサイプの配設により氷路の引っ掻き効果を向上することができるので、タイヤの接地面積の確保と、エッヂによる氷路の引っ掻き効果の向上とを両立し、タイヤの氷上性能を向上することができる。そのため、底部拡大サイプおよび三次元サイプの配置と、矢羽形状のブロックとの組合せにより、タイヤの氷上性能を更に向上させることができる。なお、上述した接地面積の確保と引っ掻き効果の向上とは、底部拡大サイプが矢羽形状のブロックの頂点の近傍で終端しているような構成であると、さらに高い次元で両立させることができる。
【００３８】
ここで、上記他の例の空気入りタイヤでは、先の一例の空気入りタイヤと同様に、底部拡大サイプをブロックのタイヤ周方向長さＬの１／３の位置から２／３の位置までの領域に配設しても良い。また、二次元サイプを底部拡大サイプのタイヤ周方向両側に配設しても良い。更に、二次元サイプや三次元サイプのトレッド踏面の開口幅は例えば０．４〜１．５ｍｍとすることができ、底部拡大サイプのトレッド踏面の開口幅は例えば０．４〜１．５ｍｍとすることができる。また、底部拡大サイプの拡大部の幅はトレッド踏面の開口幅の２〜４倍とすることができる。
【００３９】
また、上記他の例の空気入りタイヤでは、ブロック４Ｂの周方向突出部４３Ｂ側に位置する側壁を構成する２つの側壁部分（第１側壁部分４４Ｂ，第２側壁部分４５Ｂ）は、周方向突出部４３Ｂの頂点４６Ｂに向かう配設角度θ1,θ2が、それぞれタイヤ幅方向に対して１５〜４５°の範囲内にあることが好ましい。配設角度θ1,θ2が１５°未満の場合には、タイヤ幅方向のエッヂ成分は確保できるものの図２（ａ）のような効果が得られない恐れがあるからである。また、配設角度θ1,θ2が４５°超の場合には、ブロックのタイヤ幅方向の剛性が低下し、ブロックの捩れ変形が大きくなって接地面積が大幅に減少する恐れがあるからである。なお、側壁部分４４Ｂ，４５Ｂの配設角度θ1,θ2は互いに異なっていても良いが、タイヤの接地面積の確保と、エッヂによる氷路の引っ掻き効果の向上とをバランス良く両立させる観点からは、同一（θ1＝θ2）であることが好ましい。
【００４０】
以上、本発明の空気入りタイヤについて上記一例および他の例を用いて説明してきたが、本発明の空気入りタイヤでは、タイヤ幅方向に延びて少なくとも一端が主溝またはトレッド端に開口する少なくとも一本の底部拡大サイプを中央領域に形成し、且つ、二次元サイプおよび三次元サイプの何れか一方を底部拡大サイプのタイヤ周方向両外側に形成したブロックを有していれば、適宜変更を加えることができる。
【００４１】
具体的には、本発明の空気入りタイヤは、図４（ａ）〜（ｃ）に示すような形状のブロック４Ｃをトレッド部に形成したタイヤであっても良い。
【００４２】
図４（ａ）に平面視形状を拡大して示すブロック４Ｃは、ブロック４Ｂの頂点をブロックのタイヤ幅方向中心線からオフセットさせる（即ち、横溝の屈曲点をオフセットさせる）と共に、ブロックに形成するサイプの形状を変更したものである。従って、ブロック４Ｃは、ブロック４Ｂと同様に、主溝と、タイヤ周方向に凸形状となるような１個の屈曲点をもってタイヤ幅方向に延びる横溝とで区画形成されている。
【００４３】
即ち、このブロック４Ｃは、頂点４６Ｃがブロックのタイヤ幅方向中心線ＷＣから距離Ｏだけ（図４（ａ）では右側に）オフセットした略矢羽形状をしている。そして、図４（ａ）のＩＩＩ−ＩＩＩ線に沿う断面を図４（ｂ）に示し、図４（ａ）のＩＶ−ＩＶ線に沿う断面を図４（ｃ）に示すように、ブロック４Ｃの中央領域Ｃには、一端（図４（ａ）では右側）が主溝またはトレッド端に開口し、他端がブロック４Ｃ内で終端する底部拡大サイプ４２Ｃと、一端（図４（ａ）では左側）が主溝またはトレッド端に開口し、他端がブロック４Ｃ内で終端する、サイプ延在方向および深さ方向の双方にジグザグ状に屈曲して延びる三次元サイプ４１Ｃ”とが形成されている。また、底部拡大サイプ４２Ｃのタイヤ周方向両外側には、一端（図４（ａ）では右側）が主溝またはトレッド端に開口し、他端がブロック４Ｃ内で終端する、サイプ延在方向および深さ方向の双方にジグザグ状に屈曲して延びる三次元サイプ４１Ｃ’がそれぞれ形成されている。更に、前述の中央領域Ｃに形成された三次元サイプ４１Ｃ”のタイヤ周方向両外側には、一端（図４（ａ）では左側）が主溝またはトレッド端に開口し、他端がブロック４Ｃ内で終端する、サイプ延在方向および深さ方向の双方にジグザグ状に屈曲して延びる三次元サイプ４１Ｃ”がそれぞれ形成されている。
【００４４】
また、このブロック４Ｃでは、ブロックに形成した全てのサイプ４１Ｃ’、４１Ｃ”、４２Ｃを、タイヤ回転軸線を含みブロック表面に直交する同一平面に投影したときに、三次元サイプ４１Ｃ”と、三次元サイプ４１Ｃ’および底部拡大サイプ４２Ｃとがオーバーラップし、投影図のタイヤ幅方向の寸法は、ブロック４Ｃを該平面に投影した際に得られる投影図のタイヤ幅方向の寸法と等しくなる。
【００４５】
そして、このブロック４Ｃをトレッド部に形成した空気入りタイヤでは、ブロック４Ｃの中央領域Ｃに底部拡大サイプ４２Ｂを形成しているので、先の一例および他の例の空気入りタイヤと同様にして、優れたグリップ力を確保して氷上性能を向上させることができる。また、底部拡大サイプ４２Ｃをブロック４Ｃの中央領域Ｃのみに形成すると共に、ブロック４Ｃの底部拡大サイプ４２Ｃのタイヤ周方向両外側に三次元サイプ４１Ｃ’を形成しているので、先の一例および他の例の空気入りタイヤと同様にして、ドライ操縦安定性、ウェット操縦安定性および耐摩耗性が大幅に低下するのを抑制することができる。また、ブロックのエッヂによる氷路の引っ掻き効果を得つつ十分な接地面積を確保してタイヤの氷上性能を向上することができる。更に、このブロック４Ｃをトレッド部に形成した空気入りタイヤでは、サイプ４１Ｃ’、４１Ｃ”、４２Ｃをブロック４Ｃのタイヤ幅方向全域に亘って形成しているので、先の一例および他の例の空気入りタイヤと同様にして、氷上性能を更に向上させることができる。また、先の他の例の空気入りタイヤと同様にして、底部拡大サイプおよび三次元サイプの配置と、矢羽形状のブロックとの組合せにより、タイヤの氷上性能を更に向上させることができる。
【００４６】
また、ブロック４Ｃをトレッド部に形成した空気入りタイヤでは、特にブロック４Ｃの長い方の羽部（頂点４６Ｃよりも幅方向中心線ＷＣ側に位置する領域）において、エッヂによる路面の引っ掻き効果を更に高めることができる。更に、このブロック４Ｃをトレッド踏面に配設した空気入りタイヤでは、三次元サイプ４１Ｃ”と、三次元サイプ４１Ｃ’および底部拡大サイプ４２Ｃとがタイヤ周方向にオーバーラップしている部分においてエッヂ成分が増加しているので、エッヂによる路面の引っ掻き効果を更に高めることができる。従って、タイヤの接地面積の確保と、エッヂによる氷路の引っ掻き効果の向上とを両立し、タイヤの氷上性能を向上することができる。
【００４７】
なお、ブロック４Ｃでは、頂点４６Ｃをブロック４Ｃのタイヤ幅方向中心線ＷＣからオフセットさせる距離Ｏは、ブロック幅の１０〜３０％とすることが好ましい。オフセットさせる距離Ｏがブロック幅の１０％未満の場合には、長い方の羽部側でのエッヂによる路面引っ掻き効果を十分に得ることができない恐れがあり、ブロック幅の３０％超の場合には、ブロック４Ｃが倒れ込み変形し易くなって接地面積を確保し難くなる恐れがあるからである。また、ブロック４Ｃでは、先の他の例のブロック４Ｂと同様に、底部拡大サイプをブロックのタイヤ周方向長さＬの１／３の位置から２／３の位置までの領域に配設しても良い。また、二次元サイプを底部拡大サイプのタイヤ周方向両側に配設しても良い。更に、二次元サイプや三次元サイプのトレッド踏面の開口幅は例えば０．４〜１．５ｍｍとすることができ、底部拡大サイプのトレッド踏面の開口幅は例えば０．４〜１．５ｍｍとすることができる。また、底部拡大サイプの拡大部の幅はトレッド踏面の開口幅の２〜４倍とすることができる。更に、ブロック４Ｃの周方向突出部４３Ｃ側に位置する側壁を構成する２つの側壁部分（第１側壁部分４４Ｃ，第２側壁部分４５Ｃ）は、周方向突出部４３Ｃの頂点４６Ｃに向かう配設角度θ1,θ2を、それぞれタイヤ幅方向に対して１５〜４５°の範囲内とすることができる。
【００４８】
また、本発明の空気入りタイヤは、タイヤ幅方向に延びて少なくとも一端が主溝またはトレッド端に開口する少なくとも一本の底部拡大サイプを中央領域に形成し、且つ、二次元サイプおよび三次元サイプの何れか一方を底部拡大サイプのタイヤ周方向両外側に形成したブロックと、他のブロックパターンとを組み合わせたタイヤであってもよい。
【００４９】
具体的には、本発明の空気入りタイヤは、図５に示すようなトレッドパターンをトレッド部に形成した空気入りタイヤであってもよい。
【００５０】
トレッド部の一部の展開図を図５に示す本発明の空気入りタイヤの別の例は、タイヤ赤道ＣＬよりもタイヤ幅方向一方側（図５では左側）に、先に説明したブロック４Ｃをタイヤ周方向に複数個形成し、タイヤ赤道よりもタイヤ幅方向他方側（図５では右側）に、多角形（図５では八角形）のブロック６Ｃを密集させたブロック群を形成している。
【００５１】
この別の例の空気入りタイヤでは、トレッド踏面１Ｃに形成された主溝２Ｃおよび横溝３Ｃによりブロック４Ｃが区画形成されている。ここで、主溝２Ｃはタイヤ周方向に沿って延在しており、横溝３Ｃは、タイヤ周方向（図５では下方向）に凸形状となるような１個の屈曲点をもってタイヤ幅方向に延びている。また、横溝３Ｃは、タイヤ赤道側の溝幅がトレッド端側の溝幅よりも狭く、且つ、図５のＶ−Ｖ線に沿う断面を図６（ａ）に示し、図５のＶＩ−ＶＩ線に沿う断面を図６（ｂ）に示すように、一部が底上げされている。
【００５２】
また、この別の例の空気入りタイヤでは、タイヤ幅方向に延びる２本の三次元サイプ６１Ｃが形成された八角形のブロック６Ｃの個数密度Ｄが、０．００３〜０．０４個／ｍｍ2の範囲内である。
【００５３】
ここで、ブロック個数密度Ｄとは、ブロック群におけるブロック６Ｃの基準ピッチ長さをＰＬ（ｍｍ）とし、ブロック群の幅をｗ（ｍｍ）とし、基準ピッチ長さＰＬと幅ｗとで区画される、ブロック群の基準区域内に存在するブロック６Ｃの個数をａ（個）とし、基準区域内のネガティブ率をＮ（％）としたとき、ａ／（ＰＬ×ｗ×（１−Ｎ／１００））で与えられる、ブロック群の単位実接地面積当りのブロック個数密度である。また、「ブロックの基準ピッチ長さ」とは、ブロック群内の任意のブロック列におけるブロックの繰り返し模様の最小単位を指すものとし、例えば１つのブロックとそのブロックを区画する溝によってパターンの繰り返し模様が規定されている場合は、ブロック１個分のトレッド周方向長さとこのブロックのトレッド周方向に隣接する溝１本分のトレッド周方向長さとを加算したものがブロックの基準ピッチ長さとなる。また、「ブロック群の幅」とは、ブロックを密集配置してなるブロック群のトレッド幅方向長さを指し、例えばブロック群がトレッド全体に存在する場合は、トレッド接地幅を指すものとする。さらに、ブロック群の「実接地面積」とは、ブロック群の基準区域内に在る全ブロックの総表面積をいうものとし、言い換えれば、基準ピッチ長さＰＬと幅ｗとの積で規定される、上記基準区域の面積から個々のブロックを区画している溝の面積を減算した面積を指すものである。
【００５４】
そして、この別の例の空気入りタイヤによれば、ブロック４Ｃ，４Ｃ間に位置する横溝４Ｃに底上げ部を設けているので、ブロック４Ｃのタイヤ周方向両端部の剛性を向上させることができる。従って、底部拡大サイプ４２Ｃの形成によるブロック４Ｃのタイヤ周方向両端部の剛性の低下を十分に抑制して、ドライ操縦安定性、ウェット操縦安定性および耐摩耗性が大幅に低下するのを抑制することができる。
【００５５】
また、ブロック４Ｃとブロック６Ｃとを設けているので、氷上性能と、雪上性能と、排水性能とをバランス良く向上することができる。
【００５６】
また、ブロック４Ｃをタイヤ赤道ＣＬよりもタイヤ幅方向一方側のみに形成しているので、ブロック４Ｃを配設した側が車体の内側に位置するようにタイヤを車両に取り付ければ、特に主溝２Ｃを赤道より内側に配置したこととの相乗効果により、雪上性能、耐ハイドロプレーニング性能が向上し、また、操縦安定性、特にセンターフィールを向上させることができる。なお、矢羽形状のブロックの頂点をオフセット配置した場合、長さが長い羽部を、車体の外側に位置させる、または、トレッド端側に位置するブロック（ショルダーブロック）を区画形成する横溝と周方向溝との交差点に近づけることにより、或いは、底上げ部を形成する場合には端部を避け、端部（羽部の先端側）の剛性を下げることにより、雪を踏み固める効果を高め、雪柱せん断力を向上し、雪上性能を向上させることも可能である。
【実施例】
【００５７】
以下、実施例により本発明を更に詳細に説明するが、本発明は下記の実施例に何ら限定されるものではない。
【００５８】
（参考例１）
表１に示す諸元で、図１（ａ）に示すような構成のトレッド踏面を有する空気入りタイヤを試作し、下記の方法で性能評価を行った。結果を表１に示す。
【００５９】
（従来例１）
表１に示す諸元で、図１（ａ）に示すような構成のトレッド踏面を有する空気入りタイヤを試作し、下記の方法で性能評価を行った。結果を表１に示す。
【００６０】
（比較例１）
表１に示す諸元で、図１（ａ）に示すような構成のトレッド踏面を有する空気入りタイヤを試作し、下記の方法で性能評価を行った。結果を表１に示す。
【００６１】
（参考例２〜４、実施例５）
諸元およびトレッド踏面の構成を表１に示すように変更した以外は、参考例１と同様にして空気入りタイヤを試作し、下記の方法で性能評価を行った。結果を表１に示す。
【００６２】
＜氷上性能＞
氷路面のテストコースを各種走行モードで走行したときの制動性、発進性、直進性およびコーナリング性をプロのテストドライバーにより総合的にフィーリング評価することにより氷上性能を評価した。そして、従来例１のタイヤを１００として指数評価した。表中、指数が大きいほど氷上性能に優れることを示す。
＜ドライ操縦安定性＞
乾燥路面のテストコースを各種走行モードで走行したときの制動性、発進性、直進性およびコーナリング性をプロのテストドライバーにより総合的にフィーリング評価することによりドライ操縦安定性を評価した。そして、従来例１のタイヤを１００として指数評価した。表中、指数が大きいほどドライ操縦安定性に優れることを示す。
＜ウェット操縦安定性＞
湿潤路面のテストコースを各種走行モードで走行したときの制動性、発進性、直進性およびコーナリング性をプロのテストドライバーにより総合的にフィーリング評価することによりウェット操縦安定性を評価した。そして、従来例１のタイヤを１００として指数評価した。表中、指数が大きいほどウェット操縦安定性に優れることを示す。
＜耐摩耗性＞
乾燥路面の一般路を各種走行モードにて走行し、５０００ｋｍ走行時のブロックの摩耗量を測定し、その測定した摩耗量から耐摩耗性を評価した。そして、従来例１のタイヤを１００として指数評価した。表中、指数が大きいほど耐摩耗性に優れることを示す。
【００６３】
【表１】
0005675580.tif 000002
【００６４】
表１より、参考例１〜４、実施例５のタイヤは、従来例１および比較例１のタイヤと比較して氷上性能に優れていることが分かる。また、参考例２〜４、実施例５のタイヤは、ドライ操縦安定性、ウェット操縦安定性および耐摩耗性にも優れていることが分かる。
【産業上の利用可能性】
【００６５】
本発明によれば、氷上性能を十分に向上させた空気入りタイヤを提供することができる。
【符号の説明】
【００６６】
１Ａ，１Ｂ，１Ｃ  トレッド踏面
２Ａ，２Ｂ，２Ｃ  主溝
３Ａ，３Ｂ，３Ｃ  横溝
４Ａ，４Ｂ，４Ｃ  ブロック
５Ａ，５Ｂ  ブロック陸部列
６Ｃ  ブロック
４１Ａ  二次元サイプ
４１Ｂ  三次元サイプ
４１Ｃ’，４１Ｃ”  三次元サイプ
４２Ａ，４２Ｂ，４２Ｃ  底部拡大サイプ
４２Ａ1，４２Ｂ1，４２Ｃ1  直線部
４２Ａ2，４２Ｂ2，４２Ｃ2  拡大部
４３Ｂ，４３Ｃ  周方向突出部
４４Ｂ，４４Ｃ  第１側壁部分
４５Ｂ，４５Ｃ  第２側壁部分
４６Ｂ，４６Ｃ  頂点
６１Ｃ  三次元サイプ
７０  ブロック
Ｃ  中央領域
Ｅ  トレッド端
ＷＣ  タイヤ幅方向中心線
【図１】
0005675580.tif 000003
【図２】
0005675580.tif 000004
【図３】
0005675580.tif 000005
【図４】
0005675580.tif 000006
【図５】
0005675580.tif 000007
【図６】
0005675580.tif 000008
【図７】
0005675580.tif 000009